(57)【要約】【課題】ページ集約機能やイメージリピート機能で生成される合成画像を、画像形成する前に、適切に生成されているか否かをより正確に確認できる技術を提供する。【解決手段】表示モード設定入力要求受付部は、個別画像表示モードに設定する旨が入力されると個別画像表示モードフラグをオンし（♯３でＹＥＳ，♯４）、「ＯＫ」ボタンの操作により制御部は画像読取部に読取動作を行わせ（♯５でＹＥＳ，♯６）、画像データに対してイメージリピート画像を生成する（♯７）。プレビュー画像生成部は現在前記フラグがオンのとき、個別画像をプレビュー画像表示部の表示領域の大きさにあわせたプレビュー用個別画像を生成し（♯８でＹＥＳ，♯９）、表示制御部はその画像をプレビュー画像表示部に表示させ（♯１０）、その後、制御部はスタートボタンがオンされると画像データに基づく画像形成動作を記録部に実行させる（♯１１でＹＥＳ，♯１３）。【選択図】図９
2011114807.tif 000002
【特許請求の範囲】
【請求項１】
原稿の画像を読み取る画像読取部と、
記録媒体に画像を形成する画像形成部と、
画像を表示する表示部と、
前記画像読取部による読取動作で得られた複数ページの各画像をそれぞれ個別画像として、各個別画像を１ページ内に並べてなる合成画像と、前記画像読取部による読取動作で得られた画像全体又はその一部領域の画像を個別画像として該個別画像を１ページ中に繰り返し並べてなる合成画像とのうち、少なくとも一方の合成画像を生成する合成処理部と、
前記合成処理部による合成処理後の全体画像を前記表示部の所定の表示領域に表示するための処理を行って得られるプレビュー用全体画像と、前記個別画像を前記プレビュー用全体画像における当該個別画像より拡大して前記表示部の前記所定の表示領域に表示するための処理を行って得られるプレビュー用個別画像とが生成可能なプレビュー画像生成部と、
前記プレビュー画像生成部により前記プレビュー用全体画像及びプレビュー用個別画像のうち少なくとも一方が生成されると、生成されたプレビュー画像を前記表示部の前記所定の表示領域に表示させる表示制御部と
を備える画像処理装置。
【請求項２】
前記表示部の前記所定の表示領域に表示させる対象として、前記プレビュー用全体画像及び前記プレビュー用個別画像のうち何れかを選択する入力を行うための第１の入力操作部を更に備え、
前記プレビュー画像生成部は、前記第１の入力操作部により選択された方のプレビュー画像を生成し、
前記表示制御部は、前記プレビュー画像生成部により生成されたプレビュー画像を前記表示部の前記所定の表示領域に表示させる請求項１に記載の画像処理装置。
【請求項３】
前記合成処理部による合成処理後の全体画像のうち文字領域を検出する文字領域検出処理部と、
前記画像読取部による読取動作で得られた画像の一部領域の画像を個別画像として、該個別画像を１ページ中に繰り返し並べてなる合成画像が前記合成処理部により生成された場合に、前記文字領域検出処理部により検出された文字領域のうち前記一部領域に含まれる文字領域が前記一部領域からはみ出しているか否かを判定する判定部と
を備え、
前記表示制御部は、前記一部領域に含まれる文字領域が前記一部領域からはみ出していないと前記判定部により判定された場合には、前記プレビュー画像生成部により生成された前記プレビュー用全体画像を前記表示部に表示し、前記一部領域に含まれる文字領域が前記一部領域からはみ出していると前記判定部により判定された場合には、前記プレビュー画像生成部により生成された前記プレビュー用個別画像を前記表示部に表示させる請求項１に記載の画像処理装置。
【請求項４】
前記画像読取部による読取動作で得られた画像全体又はその一部領域の画像である前記個別画像を縮小して１ページ中に繰り返し並べてなる合成画像を前記合成処理部に生成させる場合に、前記個別画像の縮小率を入力するための第２の入力操作部を更に備え、
前記合成処理部は、前記第２の入力操作部により入力された縮小率で縮小した前記個別画像を１ページ中に繰り返し並べてなる合成画像を生成し、
前記合成処理部による合成処理後の全体画像のうち文字領域を検出する文字領域検出処理部と、
前記文字領域検出処理部により文字領域を検出できたか否か、及び、前記文字領域検出処理部により検出された文字領域のうち前記一部領域に含まれる文字領域が前記一部領域からはみ出しているか否かを判定する判定部と
を備え、
前記表示制御部は、前記文字領域検出処理部により文字領域を検出でき、且つ、前記一部領域に含まれる文字領域が前記一部領域からはみ出していないと前記判定部により判定された場合には、前記プレビュー画像生成部により生成された前記プレビュー用全体画像を前記表示部に表示し、それ以外の場合には、前記プレビュー画像生成部により生成された前記プレビュー用個別画像を前記表示部に表示させる請求項１に記載の画像処理装置。
【請求項５】
前記プレビュー画像生成部は、前記プレビュー用全体画像及び前記プレビュー用個別画像の両方を生成し、
前記表示制御部は、前記プレビュー用全体画像を前記表示部の前記所定の表示領域に表示させるとともに、該所定の表示領域内の余白部分に前記プレビュー用個別画像を表示させる請求項１に記載の画像処理装置。
【請求項６】
前記表示制御部による表示処理後に、前記合成処理部で生成された合成画像を記録媒体に形成する指示の入力を行うための第３の入力操作部と、
前記第３の入力操作部により前記指示が入力されると、前記合成処理部で生成された合成画像を記録媒体に形成する動作を前記画像形成部に実行させる画像形成制御部と
を更に備える請求項１乃至５の何れか一項に記載の画像処理装置。
【発明の詳細な説明】
【技術分野】
【０００１】
本発明は、複写機や複合機などの画像処理装置の技術分野に属する。
【背景技術】
【０００２】
一般的に、複合機等の画像処理装置においては、複数のページの画像をそれぞれ縮小して１ページに集約した画像（以下、集約画像という）を生成する所謂ページ集約機能を有している。また、近年では、読み込んだ原稿画像全体又は原稿画像の特定領域の画像のみを１ページ中に複数並べた画像（以下、イメージリピート画像という）を生成するイメージリピート機能と呼ばれる機能が画像処理装置に搭載されているものもある。
【０００３】
このようなページ集約機能やイメージリピート機能を搭載する画像処理装置には、通常、これらの機能を用いて生成した画像の仕上がり状態をユーザに確認させるべく、用紙に画像を出力（印刷）する前に、前記機能を用いて生成した画像をプレビュー画像として画像処理装置の操作パネル等に表示する構成が備えられている。
【０００４】
一方、下記特許文献１には、原稿を変倍複写する際の倍率条件を任意に設定し、その設定した条件で転写紙に対応した原稿画像のプレビュー画像を生成する技術が提案されている。
【先行技術文献】
【特許文献】
【０００５】
【特許文献１】特開２００４−７７６１６号公報
【発明の概要】
【発明が解決しようとする課題】
【０００６】
装置の大型化回避等の関係上、画像処理装置に搭載する操作パネルの画面サイズは制限され、それほど大きな操作パネルを画像処理装置に搭載することは難しい。したがって、前記集約画像や前記イメージリピート画像をプレビュー画像として表示する機能を搭載した画像処理装置にあっては、画像を比較的大幅に縮小して前記操作パネルに表示することが要求される。
【０００７】
そのため、特に原稿に形成されている文字が小さい文字である場合や前記イメージリピート画像を形成する際に指定される前記特定領域が小さい場合には、操作パネルに表示される個々の画像が小さくなり、前記集約画像を生成する際に実施される画像の縮小処理によって該集約画像を用紙に形成した際に文字がつぶれないか否かとか、前記特定領域内の画像が前記イメージリピート画像を用紙に形成した際につぶれないか否かとかを確認することが困難な場合が生じうる。
【０００８】
本発明は、このような事情に鑑みて為された発明であり、前記ページ集約機能や前記イメージリピート機能で生成される合成画像を、画像形成する前に、適切に生成されているか否かをより正確に確認することのできる技術を提供することを目的とする。
【課題を解決するための手段】
【０００９】
請求項１に記載の発明は、原稿の画像を読み取る画像読取部と、記録媒体に画像を形成する画像形成部と、画像を表示する表示部と、前記画像読取部による読取動作で得られた複数ページの各画像をそれぞれ個別画像として、各個別画像を１ページ内に並べてなる合成画像と、前記画像読取部による読取動作で得られた画像全体又はその一部領域の画像を個別画像として該個別画像を１ページ中に繰り返し並べてなる合成画像とのうち、少なくとも一方の合成画像を生成する合成処理部と、前記合成処理部による合成処理後の全体画像を前記表示部の所定の表示領域に表示するための処理を行って得られるプレビュー用全体画像と、前記個別画像を前記プレビュー用全体画像における当該個別画像より拡大して前記表示部の前記所定の表示領域に表示するための処理を行って得られるプレビュー用個別画像とが生成可能なプレビュー画像生成部と、前記プレビュー画像生成部により前記プレビュー用全体画像及びプレビュー用個別画像のうち少なくとも一方が生成されると、生成されたプレビュー画像を前記表示部の前記所定の表示領域に表示させる表示制御部とを備える画像処理装置である。
【００１０】
この発明によれば、前記プレビュー用全体画像の他に、前記個別画像を前記プレビュー用全体画像における当該個別画像より拡大して前記表示部の前記所定の表示領域に表示するための処理を行って得られるプレビュー用個別画像を生成可能とし、該プレビュー用個別画像が生成されると、該プレビュー用個別画像を前記表示部の前記所定の表示領域に表示するようにしたので、プレビュー用個別画像を前記表示部の前記所定の表示領域に表示させたときには、ユーザは、前記プレビュー用全体画像における当該個別画像より拡大された画像を視認することができる。したがって、前記個別画像が適切に設定されているか否かの確認を、前記プレビュー用全体画像で行う場合に比してより正確に行うことができる。
【００１１】
請求項２に記載の発明は、請求項１に記載の画像処理装置において、前記表示部の前記所定の表示領域に表示させる対象として、前記プレビュー用全体画像及び前記プレビュー用個別画像のうち何れかを選択する入力を行うための第１の入力操作部を更に備え、前記プレビュー画像生成部は、前記第１の入力操作部により選択された方のプレビュー画像を生成し、前記表示制御部は、前記プレビュー画像生成部により生成されたプレビュー画像を前記表示部の前記所定の表示領域に表示させるものである。
【００１２】
この発明によれば、前記プレビュー用全体画像及び前記プレビュー用個別画像のうち何れかを、前記表示部の前記所定の表示領域に表示させる対象としてユーザが選択することができる。したがって、前記プレビュー用個別画像を前記表示部の前記所定の表示領域に表示させる必要が無い場合でも該プレビュー用個別画像をその所定の表示領域に表示させるという無駄な処理が行われることが無い。
【００１３】
請求項３に記載の発明は、請求項１に記載の画像処理装置において、前記合成処理部による合成処理後の全体画像のうち文字領域を検出する文字領域検出処理部と、前記画像読取部による読取動作で得られた画像の一部領域の画像を個別画像として、該個別画像を１ページ中に繰り返し並べてなる合成画像が前記合成処理部により生成された場合に、前記文字領域検出処理部により検出された文字領域のうち前記一部領域に含まれる文字領域が前記一部領域からはみ出しているか否かを判定する判定部とを備え、前記表示制御部は、前記一部領域に含まれる文字領域が前記一部領域からはみ出していないと前記判定部により判定された場合には、前記プレビュー画像生成部により生成された前記プレビュー用全体画像を前記表示部に表示し、前記一部領域に含まれる文字領域が前記一部領域からはみ出していると前記判定部により判定された場合には、前記プレビュー画像生成部により生成された前記プレビュー用個別画像を前記表示部に表示させるものである。
【００１４】
この発明によれば、前記文字領域検出処理部により検出された文字領域のうち前記一部領域に含まれる文字領域が前記一部領域からはみ出しているか否かを判定する判定部を備え、前記一部領域に含まれる文字領域が前記一部領域からはみ出している場合に、前記プレビュー用個別画像を前記表示部の前記所定の表示領域に表示させるようにしたので、ユーザは、前記個別画像を規定する前記一部領域の設定が不適切である可能性がある場合に、個別画像を前記プレビュー用全体画像における当該個別画像より拡大された形態で視認することができ、前記プレビュー用全体画像で行う場合に比してより正確に行うことができる。
【００１５】
また、前記表示制御部は、前記一部領域に含まれる文字領域が前記一部領域からはみ出していないと前記判定部により判定された場合には、前記プレビュー用全体画像を前記表示部に表示し、前記一部領域に含まれる文字領域が前記一部領域からはみ出していると前記判定部により判定された場合には、前記プレビュー用個別画像を前記表示部に表示させるようにしたので、前記表示部の前記所定の表示領域に表示させる対象を自動的に設定する構成を実現することができる。
【００１６】
請求項４に記載の発明は、請求項１に記載の画像処理装置において、前記画像読取部による読取動作で得られた画像全体又はその一部領域の画像である前記個別画像を縮小して１ページ中に繰り返し並べてなる合成画像を前記合成処理部に生成させる場合に、前記個別画像の縮小率を入力するための第２の入力操作部を更に備え、前記合成処理部は、前記第２の入力操作部により入力された縮小率で縮小した前記個別画像を１ページ中に繰り返し並べてなる合成画像を生成し、前記合成処理部による合成処理後の全体画像のうち文字領域を検出する文字領域検出処理部と、前記文字領域検出処理部により文字領域を検出できたか否か、及び、前記文字領域検出処理部により検出された文字領域のうち前記一部領域に含まれる文字領域が前記一部領域からはみ出しているか否かを判定する判定部とを備え、前記表示制御部は、前記文字領域検出処理部により文字領域を検出でき、且つ、前記一部領域に含まれる文字領域が前記一部領域からはみ出していないと前記判定部により判定された場合には、前記プレビュー画像生成部により生成された前記プレビュー用全体画像を前記表示部に表示し、それ以外の場合には、前記プレビュー画像生成部により生成された前記プレビュー用個別画像を前記表示部に表示させるものである。
【００１７】
この発明によれば、縮小した個別画像を１ページ中に繰り返し並べてなる合成画像を生成する場合には、前記文字領域検出処理部により文字領域を検出できなかった場合や、前記文字領域検出処理部により文字領域を検出できた場合でも該文字領域のうち前記一部領域に含まれる文字領域が前記一部領域からはみ出しているような場合には、プレビュー用個別画像を前記表示部の前記所定の表示領域に表示させるようにしたので、ユーザは、個別画像を前記プレビュー用全体画像における当該個別画像より拡大された形態で視認することができ、前記個別画像が適切に設定されているか否かの確認を、前記プレビュー用全体画像で行う場合に比してより正確に行うことができる。
【００１８】
また、前記表示制御部は、前記文字領域検出処理部により文字領域を検出でき、且つ、前記一部領域に含まれる文字領域が前記一部領域からはみ出していないと前記判定部により判定された場合には、前記プレビュー用全体画像を前記表示部に表示し、それ以外の場合には、前記プレビュー用個別画像を前記表示部に表示させるようにしたので、前記表示部の前記所定の表示領域に表示させる対象を自動的に設定する構成を実現することができる。
【００１９】
請求項５に記載の発明は、請求項１に記載の画像処理装置において、前記プレビュー画像生成部は、前記プレビュー用全体画像及び前記プレビュー用個別画像の両方を生成し、前記表示制御部は、前記プレビュー用全体画像を前記表示部の前記所定の表示領域に表示させるとともに、該所定の表示領域内の余白部分に前記プレビュー用個別画像を表示させるものである。
【００２０】
この発明によれば、前記プレビュー用全体画像を前記表示部の前記所定の表示領域に表示させたときに該所定の表示領域内の余白部分に前記プレビュー用個別画像を表示させるようにしたので、ユーザは、前記プレビュー用全体画像とプレビュー用個別画像とを同時に視認することができるため、合成画像が適切に生成されているか否かの確認と、個別画像が適切に生成されているか否かの確認とを同時に行うことができる。
【００２１】
請求項６に記載の発明は、請求項１乃至５の何れか一項に記載の画像処理装置において、前記表示制御部による表示処理後に、前記合成処理部で生成された合成画像を記録媒体に形成する指示の入力を行うための第３の入力操作部と、前記第３の入力操作部により前記指示が入力されると、前記合成処理部で生成された合成画像を記録媒体に形成する動作を前記画像形成部に実行させる画像形成制御部とを更に備えるものである。
【００２２】
この発明によれば、合成画像が適切に形成された記録媒体を当該画像処理装置で生成することができる。
【発明の効果】
【００２３】
本発明によれば、前記ページ集約機能や前記イメージリピート機能で生成される合成画像を、画像形成する前に、適切に生成されているか否かをより正確に確認することができる。
【図面の簡単な説明】
【００２４】
【図１】本発明に係る画像処理装置の一例である複合機の内部構成を模式的に示した縦断面図である。
【図２】設定画面の画面例を示す図である。
【図３】選択画面の画面例を示す図である。
【図４】設定画面の画面例を示す図である。
【図５】指定領域の位置指定の方法を説明するための図である。
【図６】複合機の電気的な構成を示すブロック図である。
【図７】（ａ）は、集約対象の原稿を示す図、（ｂ）は、集約画像を示す図、（ｃ）は、（ｂ）の矢印Ｘで示す個別画像をプレビュー画像表示部に表示した状態を示す図である。
【図８】（ａ）は、イメージリピート処理対象の原稿を示す図、（ｂ）は、イメージリピート画像を示す図、（ｃ）は、（ｂ）の矢印Ｙで示す個別画像をプレビュー画像表示部に表示した状態を示す図である。
【図９】制御部によるプレビュー画像表示処理を示すフローチャートである。
【図１０】変形形態（１）に係る複合機の電気的な構成を示すブロック図である。
【図１１】指定領域と文字領域とがずれている状態を示す図である。
【図１２】変形形態（１）における制御部によるプレビュー画像表示処理を示すフローチャートである。
【図１３】変形形態（２）における制御部によるプレビュー画像表示処理を示すフローチャートである。
【図１４】変形形態（３）の説明図である。
【発明を実施するための形態】
【００２５】
以下、本発明に係る画像処理装置の実施形態について図面を参照して説明する。尚、以下の実施形態では、本発明に係る画像処理装置の一実施形態として、カラーコピー、スキャナ、ファクシミリ、プリンタ等の機能を備えた複合機に集約した形態を例に説明する。
【００２６】
図１は、本実施形態に係る複合機１の内部構成を模式的に示した縦断面図である。図１に示す複合機１は、大きく分けると画像読取部２と装置本体３とからなる。画像読取部２は、原稿給紙部４とスキャナ部５とを備えて構成される。原稿給紙部４は、ＡＤＦを実現するものであり、原稿トレイ６、給紙ローラ７、搬送ドラム８、排紙ローラ９及び排紙トレイ１０を有する。
【００２７】
原稿トレイ６は、原稿が載置される場所であり、原稿トレイ６に載置された原稿は１枚ずつ給紙ローラ７によって取り込まれて搬送ドラム８へ搬送される。搬送ドラム８を経由した原稿は排紙ローラ９によって排紙トレイ１０へ排出される。
【００２８】
スキャナ部５は、原稿の画像を光学的に読み取って画像データを生成するものであり、装置本体３に設けられている。スキャナ部５は、コンタクトガラス１１、光源１２、第１ミラー１３、第２ミラー１４、第３ミラー１５、第１キャリッジ１６、第２キャリッジ１７、結像レンズ１８、ラインセンサであるＣＣＤ（Charge Coupled Device）１９を備える。
【００２９】
スキャナ部５は、光源１２として冷陰極蛍光管等の白色蛍光ランプが用いられ、前記第１ミラー１３、第２ミラー１４、第３ミラー１５、第１キャリッジ１６、第２キャリッジ１７及び結像レンズ１８により、原稿からの光をＣＣＤ１９に導くものである。スキャナ部５は、光源１２として冷陰極蛍光管等の白色蛍光ランプを用いていることから、光源として３色ＬＥＤ等が用いられる後述のＣＩＳ２０よりも色再現性に優れる。
【００３０】
ＣＩＳ２０は、ラインセンサであり、スキャナ部５よりも原稿搬送方向の下流側に設けられている。ＣＩＳ２０は、原稿搬送路において、スキャナ部５によって読み取られる原稿面とは反対側の面を読み取る位置に設けられている。
【００３１】
コンタクトガラス１１は、原稿を載置する面を構成するものであり、光源１２及び第１ミラー１３は、第１キャリッジ１６によって支持されており、第２ミラー１４及び第３ミラー１５は、第２キャリッジ１７によって支持されている。
【００３２】
画像読取部２の原稿読取方法としては、コンタクトガラス１１上に載置された原稿をスキャナ部５が読み取るフラットベッド読取モードと、原稿をＡＤＦによって取り込み、その搬送途中で原稿を読み取るＡＤＦ読取モードがある。
【００３３】
フラットベッド読取モードでは、主走査方向と直交する方向（副走査方向、矢印Ｙ方向）に第１キャリッジ１６及び第２キャリッジ１７が移動しながら光源１２がコンタクトガラス１１上に載置された原稿を照射し、一次元のイメージセンサであるＣＣＤ１９の各画素が並ぶ主走査方向１ライン分の反射光が第１ミラー１３、第２ミラー１４、第３ミラー１５の順に反射して、結像レンズ１８に入射する。結像レンズ１８に入射した光はＣＣＤ１９の受光面で結像される。ＣＣＤ１９は、１ラインごとに原稿の画像データを出力する。
【００３４】
ＡＤＦ読取モードでは、原稿トレイ６に載置された原稿が給紙ローラ７によって１枚ずつ取り込まれ、搬送ドラム８から排紙トレイ１０への搬送経路に設けられた画像読取位置２１上を原稿が通過するとき、光源１２が原稿を照射し、主走査１ライン分の反射光が第１ミラー１３、第２ミラー１４、第３ミラー１５の順に反射して、結像レンズ１８に入射する。結像レンズ１８に入射した光はＣＣＤ１９の受光面で結像される。このような動作がライン単位で実施される。尚、以下の説明において、特に記載のないものについては、ＡＤＦ読取モードによって原稿を自動給紙し、画像の読み取りを行うことを前提に説明を行う。
【００３５】
更に、原稿給紙部４は、切換ガイド２２、反転ローラ２３及び反転搬送路２４からなる原稿反転機構を有する。１回目のＡＤＦ読み取りによって表面（原稿の一方の面）が読み取られた原稿を、原稿反転機構を用いて反転させて再搬送することによって、再度ＣＣＤ１９によって裏面（原稿の他方の面）の読み取りを行わせることができる。この原稿反転機構は、両面読み取り時にのみ動作し、片面読み取り時は動作しない。片面読み取り時及び両面読み取り時において裏面の読み取り後、切換ガイド２２は上側に切り替えられ、搬送ドラム８を経た原稿は排紙ローラ９によって排紙トレイ１０に排紙される。両面読み取り時における表面読み取り後、切換ガイド２２は下側に切り替えられ、搬送ドラム８を経た原稿は反転ローラ２３のニップ部へ搬送される。その後、切換ガイド２２は上側へ切り替わって反転ローラ２３が逆回転することにより、原稿は反転搬送路２４を介して搬送ドラム８へ再搬送される。
【００３６】
更に、本実施の形態の画像読取部２は、ＡＤＦ読取モード時において、前記で説明したように原稿の搬送途中でＣＣＤ１９によって原稿の表面の読み取りを行わせると同時に、ＣＩＳ２０によって原稿の裏面の読み取りを行わせることが可能である。つまり、原稿トレイ６から給紙された原稿は画像読取位置２１上を通過するときにＣＣＤ１９によって表面が読み取られ、更にＣＩＳ２０を通過する際に裏面が読み取られる。このようにＣＣＤ１９とＣＩＳ２０を用いることで、ワンパスで原稿の両面の読み取りが可能となる。
【００３７】
複合機１は、装置本体３と、装置本体３の左方に配設されたスタックトレイ２５とを有している。装置本体３は、複数の給紙カセット２６と、給紙カセット２６から用紙（記録媒体）を１枚ずつ繰り出して記録部（画像形成部）２７へ搬送する給紙ローラ２６ａと、給紙カセット２６から搬送されてきた用紙に画像を形成する記録部２７とを備える。
【００３８】
更に、複合機１は、手差しトレイ２８を側面適所に備え、この手差しトレイ２８からは何れの給紙カセットにも収納されていないサイズの用紙や、既に一方の面に画像形成がなされている用紙（裏紙）、ＯＨＰシートのような任意の記録媒体が載置可能であり、給紙ローラ２９によって１枚ずつ装置本体３内に給紙される。
【００３９】
記録部２７は、感光体ドラム３０の表面から残留電荷を除電する除電装置３１と、除電後の感光体ドラム３０の表面を帯電させる帯電装置３２と、スキャナ部５で取得された画像データに基づいてレーザ光を出力して感光体ドラム３０の表面を露光し、感光体ドラム３０の表面に静電潜像を形成する露光装置３３と、前記静電潜像に基づいて感光体ドラム３０上に、シアン（Ｃ）、マゼンタ（Ｍ）、イエロー（Ｙ）及びブラック（Ｋ）の各色のトナー像を形成する現像装置３４Ｃ、３４Ｍ、３４Ｙ、３４Ｋと、感光体ドラム３０に形成された各色のトナー画像が転写されて重ね合わせされる転写ドラム３５と、転写ドラム３５上のトナー像を用紙に転写させる転写ローラ３６と、トナー像が転写された用紙を加熱してトナー像を用紙に定着させる定着装置３７とを備えている。なお、シアン、マゼンタ、イエロー及びブラックの各色に対するトナーの供給は、図略のトナー供給容器（トナーカートリッジ）から行われる。また、記録部２７を通過した用紙をスタックトレイ２５又は排出トレイ３８まで搬送する搬送ローラ３９及び４０等が設けられている。
【００４０】
用紙の両面に画像を形成する場合は、記録部２７によって用紙の一方の面に画像の形成が施された後、この用紙を排出トレイ３８側の搬送ローラ３９にニップされた状態にする。この状態で搬送ローラ３９を逆回転させて用紙をスイッチバックさせ、用紙を用紙搬送路Ｌに送って記録部２７の上流域に再度搬送し、記録部２７によって他方の面に画像の形成が施された後、用紙をスタックトレイ２５又は排出トレイ３８に排出する。
【００４１】
また、装置本体３の前方には、操作部４１が備えられている。操作部４１は、操作画面や各種メッセージ等の表示画面を表示する、例えばタッチパネルを備えた表示部４２と、種々の操作命令を入力するための操作ボタン群（数字キー群４３、スタートボタン４４等）とを有する。表示部４２は、ＬＣＤ（Liquid Crystal Display）やＥＬＤ（Electronic Luminescent Display）等によって構成され、紙サイズ選択、倍率選択、濃度選択等の選択画面が表示される。前記スタートボタン４４は、第３の入力操作部に相当する。
【００４２】
ところで、本実施形態に係る複合機１に搭載される機能の一つとして、複数ページの画像（以下、各ページの画像を個別画像という）をそれぞれ縮小して１ページに集約する処理（以下、集約処理という）を実行する集約機能がある。本実施形態に係る複合機１においてこの集約機能を利用する場合、ユーザが、前記操作ボタン群の中のコピーモードボタン（図示せず）を押圧した後に原稿を原稿トレイ６又はコンタクトガラス１１にセットし、表示部４２に表示された操作画面中の所定のボタン（図示せず）に対して押圧操作する。これにより、例えば図２に示すような設定画面Ｇ１が表示部４２に表示される。
【００４３】
図２に示す設定画面Ｇ１においては、２ページ分の個別画像をそれぞれ縮小して１ページに集約する所謂２ｉｎ１処理を行わせる指示を入力するための「２ｉｎ１」ボタンＢ１と、４ページ分の個別画像をそれぞれ縮小して１ページに集約する所謂４ｉｎ１処理を行わせる指示を入力するための「４ｉｎ１」ボタンＢ２とを有する。また、この設定画面Ｇ１では、１ページに集約される各個別画像間の境界線の要否や、前記２ｉｎ１処理や４ｉｎ１処理を行う際の各個別画像のレイアウトを設定する入力を行うことができるようにもなっている。
【００４４】
さらに、前記設定画面Ｇ１の所定領域には、集約後の画像をプレビュー画像として表示するプレビュー画像表示部Ｐ１が設けられている。ここで、本実施形態では、このプレビュー画像表示部Ｐ１に表示させるプレビュー画像として、集約後の画像全体を示すプレビュー画像か、前記複数の個別画像のうちの１つの個別画像を示すプレビュー画像かをユーザが選択できるようになっており、図２に示す設定画面Ｇ１の「表示モード」ボタンＢ４を押圧することで、その選択を行える画面が表示部４２に表示される。図３は、この選択画面Ｇ２の一例を示す図である。
【００４５】
図３に示すように、選択画面Ｇ２は、「全体画像」ボタンＢ５と「個別画像」ボタンＢ６とを有し、複合機１は、「全体画像」ボタンＢ５が押圧されると、１ページに集約した画像全体を図２に示す設定画面Ｇ２のプレビュー画像表示部Ｐ１に表示する表示モードとなる一方、「個別画像」ボタンＢ６が押圧されると、１ページに集約する複数の個別画像のうち１つの個別画像を前記プレビュー画像表示部Ｐ１に表示する表示モードとなる。なお、本実施形態においては、前記設定画面Ｇ１及び選択画面Ｇ２における各種の設定が、集約させる原稿の画像読取動作を実施する前に行われるようになっている。「全体画像」ボタンＢ５と「個別画像」ボタンＢ６は、第１の入力操作部に相当する。
【００４６】
ユーザが、前記設定画面Ｇ１及び選択画面Ｇ２において各種の設定を行った後、「ＯＫ」ボタンＢ３を操作すると、複合機１は、原稿に対する読取動作を実行し、前記設定画面Ｇ１のプレビュー画像表示部Ｐ１に、前記選択画面Ｇ２で予め設定された表示モードに対応するプレビュー画像を表示する。そして、ユーザがこの状態でスタートボタン４４を操作すると、複合機１は、前記設定画面Ｇ１で設定した集約態様で各原稿の画像が集約された画像を用紙に形成する。
【００４７】
本実施形態に係る複合機１に搭載される機能の他の一つとして、読み込んだ原稿画像全体又は前記原稿画像の中でユーザが指定した特定の一部領域（以下、指定領域という）の画像を単位とし、この単位画像を個別画像として１ページ中に複数個（繰り返し）並べた画像（以下、イメージリピート画像という）を生成する処理を実行するイメージリピート機能がある。
【００４８】
本実施形態に係る複合機１においてこのイメージリピート機能を利用する場合、ユーザが、前記操作ボタン群の中の前記コピーモードボタンを押圧した後に原稿をコンタクトガラス１１にセットし、表示部４２に表示された操作画面中の所定のボタン（図示せず）に対して押圧操作することで、例えば図４に示すような設定画面Ｇ３が表示部４２に表示される。
【００４９】
図４に示す設定画面Ｇ３においては、「倍率指定」ボタンＢ７を有し、ユーザがこの「倍率指定」ボタンＢ７に対して押圧操作を行うことで、さらに、前記指定領域を設定するか否かを指示する入力を行うためのボタンＢ８と、前記指定領域を設定するための設定画面（図示せず）を表示部４２に表示させるためのボタンＢ９と、前記個別画像の複写倍率等を入力するためのボタンＢ１０，Ｂ１１（第２の入力操作部に相当する）とを有する。
【００５０】
前記指定領域の位置は、例えば図５に示すように、ユーザが当該複合機１の前で起立したときにコンタクトガラス１１の左奥から繰り返す範囲の上辺までの長さをＹ１、コンタクトガラス１１の左奥から繰り返す範囲の左辺までの長さをＸ１、繰り返す範囲の長さをＹ２、繰り返す範囲の幅をＸ２とで特定することができ、ボタンＢ９の押圧操作で表示される前記設定画面において、各設定値Ｘ１，Ｘ２，Ｙ１，Ｙ２を設定することができるようになっている。なお、前記指定領域の設定方法は、これに限定されるものではなく、例えば、ユーザが異なる２点を指示すると、この２点を対向する一対の頂点としてもつ四角形を規定し、この四角形に囲まれる領域を前記指定領域として設定するようにしてもよい。
【００５１】
さらに、前記設定画面Ｇ３の所定領域には、前記イメージリピート処理後の画像をプレビュー画像として表示するプレビュー画像表示部Ｐ２が設けられている。ここで、本実施形態では、このプレビュー画像表示部Ｐ２に表示させるプレビュー画像として、イメージリピート処理後の全体画像に係るプレビュー画像か、１つの個別画像に係るプレビュー画像かをユーザが選択できるようになっており、図４に示す設定画面Ｇ３の「表示モード」ボタンＢ１２を押圧することで、その選択を行える画面が表示部４２に表示される。この選択画面は、図３に示す選択画面と同様である。
【００５２】
複合機１は、「全体画像」ボタンＢ５が押圧されると、個別画像を１ページ中に複数個（繰り返し）並べたイメージリピート画像全体を図３に示す設定画面Ｇ３のプレビュー画像表示部Ｐ２に表示するモードとなる一方、「個別画像」ボタンＢ６が押圧されると、個別画像を前記プレビュー画像表示部Ｐ２に表示する表示モードとなる。なお、本実施形態においては、前記設定画面Ｇ３等における各種の設定が、イメージリピート処理対象の原稿の画像読取動作を実施する前に行われるようになっている。
【００５３】
ユーザが、前記設定画面Ｇ３等において各種の設定を行った後、「ＯＫ」ボタンＢ１３を操作すると、複合機１は、原稿に対する読取動作を実行し、前記設定画面Ｇ３のプレビュー画像表示部Ｐ２に、前記選択画面Ｇ２で予め設定された表示モードに対応するプレビュー画像を表示する。そして、ユーザがこの状態でスタートボタン４４を操作すると、複合機１は、前記個別画像を１ページ中に前記設定画面Ｇ３で設定した繰り返し態様で複数個（繰り返し）並べた画像を用紙に形成する。
【００５４】
図６は、複合機１の電気的な構成を示すブロック図である。なお、図１に示す構成と同一の構成については同一の番号を付してその説明を省略する。図６に示すように、複合機１は、前述したスキャナ部５、原稿給紙部４、記録部２７、操作部４１に加えて、これらの動作を関連付けて制御する制御部４５を備える。
【００５５】
制御部４５は、データを一時的に保管する機能や作業領域としての機能を有するＲＡＭ（Random Access Memory）、プログラムを予め記憶するＲＯＭ、及び、前記プログラム等をＲＯＭから読み出して実行するＣＰＵを備えて構成されており、ＣＰＵとＲＡＭ及びＲＯＭとはデータバスを介してデータの授受を行うように構成されている。
【００５６】
制御部４５は、ＣＰＵがＲＯＭに格納されている本実施形態特有の処理プログラムを実行することで、集約処理部４６と、イメージリピート処理部４７と、表示モード設定入力要求受付部４８と、プレビュー画像生成部４９と、表示制御部５０と、画像形成制御部５１としての機能を有する。
【００５７】
集約処理部４６は、図２に示す設定画面Ｇ１において前記２ｉｎ１処理や４ｉｎ１処理を実行するように設定されると、前記画像読取部２で読み取った複数ページの原稿の各画像を１ページに集約した集約画像の画像データを生成する集約処理を行うものである。
【００５８】
例えば前記２ｉｎ１処理が選択された場合、図７（ａ）に示すような２枚の原稿１及び原稿２に対する読取動作が画像読取部２により行われると、集約処理部４６は、図７（ｂ）に示すように、各原稿１，２の画像を１ページ中に例えば横に並べて集約した集約画像の画像データを生成する。
【００５９】
イメージリピート処理部４７は、図４に示す設定画面Ｇ４等において前記イメージリピート処理を実行するように設定されると、前記画像読取部２で読み取った原稿の全体画像又は指定領域の画像を前記個別画像として、該個別画像をマトリックス状に並べてなるイメージリピート画像の画像データを生成するイメージリピート処理を行うものである。
【００６０】
例えば、画像読取部２の読取動作で得られた画像データが示す画像が図８（ａ）に示す画像であったものとし、該画像のうち前記個別画像として矢印Ｙで囲まれる領域の画像が設定されたものとすると、イメージリピート処理部４７は、図８（ｂ）に示すように、図８（ａ）の矢印Ｙで示される個別画像をマトリックス状に並べたイメージリピート画像の画像データを生成する。集約処理部４６及びイメージリピート処理部４７は、合成処理部に相当する。
【００６１】
表示モード設定入力要求受付部４８は、図２や図４に示す設定画面Ｇ１，Ｇ４の「表示モード」ボタンＢ４，Ｂ１０が操作されることで表示制御部５０により表示部４２に表示される選択画面Ｇ２（図３参照）においてプレビュー画像の表示モードの設定入力を要求し、その入力を受け付けるものである。
【００６２】
前記プレビュー画像の表示モードとは、前記集約処理部４６により生成される集約画像全体（図７（ｂ）に示す画像全体）やイメージリピート処理部４７により生成されるイメージリピート画像全体（図８（ｂ）に示す画像全体）を前記プレビュー画像表示部Ｐ１，Ｐ２全域に表示する全体画像表示モードと、図７（ｃ），図８（ｃ）に示すように、前記集約処理部４６により生成される集約画像を構成する個別画像（例えば図７（ｂ）の矢印Ｘに示す画像）や、前記イメージリピート画像の構成単位である個別画像（例えば図８（ｂ）の矢印Ｘに示す画像）を、プレビュー画像表示部Ｐ２全域に表示する個別画像表示モードである。
【００６３】
プレビュー画像生成部４９は、前記表示モード設定入力要求受付部４８により前記全体画像表示モードの設定指示を受け付けた場合にはプレビュー用全体画像を生成し、前記個別画像表示モードの設定指示を受け付けた場合にはプレビュー用個別画像を生成するものである。
【００６４】
プレビュー用個別画像とは、前記集約処理部４６により前記集約画像が生成された場合には、図７（ｃ）に示すように、該集約画像を構成する個別画像（図７（ｂ）の矢印Ｘで示す画像）を前記プレビュー画像表示部Ｐ１の表示領域の大きさ（画素数）にあわせた画像をいい、また、前記イメージリピート処理部４７により前記イメージリピート画像が生成されると、図８（ｃ）に示すように、該イメージリピート画像を構成する個別画像（図８（ｂ）の矢印Ｙで示す画像）を前記プレビュー画像表示部Ｐ２の表示領域の大きさ（画素数）にあわせた画像をいう。
【００６５】
ここで、個別画像表示モードは、全体画像の一部である個別画像をプレビュー画像表示部Ｐ１，Ｐ２全域に表示するため、個別画像表示モードでプレビュー画像表示部Ｐ１，Ｐ２に表示されるプレビュー用個別画像は、全体画像表示モードでプレビュー画像表示部Ｐ１，Ｐ２に表示される前記プレビュー用全体画像のうちの前記個別画像を表した領域の画像に比して拡大されたものとなる。
【００６６】
表示制御部５０は、前記プレビュー画像生成部４９によりプレビュー画像（前記プレビュー用全体画像又は前記プレビュー用個別画像）が生成されると、該プレビュー画像をプレビュー画像表示部Ｐ１，Ｐ２に表示させるものである。
【００６７】
画像形成制御部５１は、記録部２７による画像形成動作を制御するものであり、スタートボタン４４がオンされると、画像読取部２による読取動作で得られた画像データに基づいて用紙に対する画像形成動作を記録部２７に実行させる。
【００６８】
図９は、制御部４５によるプレビュー画像表示処理を示すフローチャートである。なお、ここでは、前記集約機能及び前記イメージリピート機能のうちイメージリピート機能が利用される場合に着目する。
【００６９】
図９に示すように、所定の操作が行われると（ステップ♯１でＹＥＳ）、表示制御部５０は、設定画面Ｇ３を表示部４２に表示し、指定領域の設定入力をはじめとする各種の入力を受け付ける（ステップ♯２）。そして、表示モード設定入力要求受付部４８は、個別画像表示モードに設定する旨の入力を受け付けた（図３に示す選択画面Ｇ２において「個別画像」ボタンＢ６が操作された）ときには（ステップ♯３でＹＥＳ）、個別画像表示モードフラグをオンし（ステップ♯４）、制御部４５は、「ＯＫ」ボタンＢ１３が操作されたか否かを判断する（ステップ♯５）。
【００７０】
一方、ステップ♯３において、表示モード設定入力要求受付部４８は、個別画像表示モードに設定する旨の入力を受け付けていないとき（図３に示す選択画面Ｇ２において「全体画像」ボタンＢ５が操作された）には（ステップ♯３でＮＯ）、ステップ♯４の処理を行わず、制御部４５は、「ＯＫ」ボタンＢ１３が操作されたか否かを判断する（ステップ♯５）。
【００７１】
ステップ♯５において、制御部４５は、「ＯＫ」ボタンＢ１３が操作されていないと判断した場合には（ステップ♯５でＮＯ）、ステップ♯１の処理に戻る一方、「ＯＫ」ボタンＢ１３が操作されたと判断した場合には（ステップ♯５でＹＥＳ）、画像読取部２に読取動作を行わせ（ステップ♯６）、該読取動作で得られた画像データに対して各種の画像処理を行う（ステップ♯７）。この画像処理には、前記イメージリピート処理が含まれる。
【００７２】
そして、プレビュー画像生成部４９は、現在前記個別画像表示モードフラグがオンされているか否かを判断し（ステップ♯８）、前記個別画像表示モードフラグがオンされていると判断した場合には（ステップ♯８でＹＥＳ）、前記イメージリピート画像の構成単位である個別画像（例えば図８（ｂ）の矢印Ｙで示す画像）を前記プレビュー画像表示部Ｐ２の表示領域の大きさ（画素数）にあわせたプレビュー用個別画像を生成し（ステップ♯９）、表示制御部５０は、このプレビュー用個別画像をプレビュー画像表示部Ｐ２に表示させる（ステップ♯１０）。
【００７３】
そして、制御部４５は、スタートボタン４４がオンされたか否かを判断し（ステップ♯１１）、スタートボタン４４がオンされず（ステップ♯１１でＮＯ）、前記指定領域や表示モードの再設定を行う旨の指示も入力されていない場合には（ステップ♯１２でＮＯ）、ステップ♯１１の処理に戻り、スタートボタン４４がオンされず（ステップ♯１１でＮＯ）、前記指定領域や表示モードの再設定を行う旨の指示が入力された場合には（ステップ♯１２でＹＥＳ）、ステップ♯２の処理に戻る。
【００７４】
一方、ステップ♯１１において、制御部４５は、スタートボタン４４がオンされたと判断すると（ステップ♯１１でＹＥＳ）、ステップ♯７で生成された画像データに基づいて用紙に対する画像形成動作を記録部２７に実行させる（ステップ♯１３）。
【００７５】
一方、ステップ♯８において、プレビュー画像生成部４９は、現在前記個別画像表示モードフラグがオンされていないと判断した場合には（ステップ♯８でＮＯ）、前記イメージリピート画像を前記プレビュー画像表示部Ｐ２の表示領域の大きさ（画素数）にあわせたプレビュー用全体画像を生成し（ステップ♯１４）、表示制御部５０は、このプレビュー用全体画像をプレビュー画像表示部Ｐ２に表示させ（ステップ♯１５）、その後、ステップ♯１１の処理を行う。
【００７６】
以上のように、本実施形態では、プレビュー画像表示部Ｐ１，Ｐ２に前記プレビュー用個別画像を表示可能に構成したので、ユーザは、前記プレビュー画像表示部Ｐ１，Ｐ２に前記プレビュー用全体画像しか表示されない構成に比して、集約画像やイメージリピート画像が適切に生成されているか否かを確実に（詳細に）確認することができる。
【００７７】
また、前記プレビュー画像表示部Ｐ１，Ｐ２に表示させるプレビュー画像として、前記プレビュー用全体画像とするかプレビュー用個別画像とするかをユーザが選択できるようにしたので、集約画像やイメージリピート画像が適切に生成されているか否かの確認の要否についてユーザの判断を反映することができる。
【００７８】
したがって、ユーザが、集約画像やイメージリピート画像が適切に生成されているか否かの確認は不要であると考えている場合でも、前記プレビュー用個別画像を必ず前記プレビュー画像表示部Ｐ１，Ｐ２に表示させる構成に比して、ユーザに煩わしさを与えるのを回避することができる。
【００７９】
本件は、前記実施形態に代えて、或いは前記実施形態に加えて、次のような変形形態も採用可能である。
【００８０】
（１）前記第１の実施形態では、前記プレビュー画像表示部Ｐ１，Ｐ２に表示する対象を、プレビュー用全体画像及びプレビュー用個別画像のうち何れか一方をユーザに選択させる構成としたが、この形態に限定されず、プレビュー用全体画像及びプレビュー用個別画像のうち何れか一方を複合機１で選択する（自動的に選択する）構成としてもよい。
【００８１】
図１０は、本実施形態に係る複合機１の電気的な構成を示すブロック図である。なお、図１に示す構成と同一の構成については同一の番号を付してその説明を省略する。
【００８２】
図１０に示すように、本実施形態に係る複合機１は、プレビュー用全体画像及びプレビュー用個別画像のうち何れか一方を当該複合機１で選択するため、前記第１の実施形態の複合機1に対し、表示モード設定入力要求受付部４８に代えて文字領域検出処理部５２及び判定部５３を備える。
【００８３】
文字領域検出処理部５２は、画像読取部２により読み取られた原稿画像の中の文字領域（文字画像の部分）を検出する。文字領域検出処理部５２は、例えば、前記原稿画像を構成する各画素について、注目画素と該注目画素に隣接する８つの近傍画素との画素値の差を各々算出し、所定の閾値よりも大きな値を有する差分値が所定個数以上（例えば４個以上）ある場合、その注目画素は、文字を構成する画素であると判定するという処理方法で文字領域を検出する。
【００８４】
判定部５３は、例えば、原稿の画像が画像読取部２により読み取られると、前記文字領域検出処理部５２により検出された文字領域のうち、ユーザにより予め設定された指定領域を中心とする文字領域に着目し、この文字領域が前記指定領域からはみ出しているか否かを判定するものである。指定領域に含まれる文字領域が前記指定領域からはみ出している状態とは、例えば、指定領域内の文字領域に連続して指定領域外にも文字領域が存在している状態であり、指定領域が不適切である可能性がある場合である。
【００８５】
図１１（ａ）に示すような文字領域が前記文字領域検出処理部５２により検出されたものとし、前記指定領域が左上の「Ａ」の文字の一部を含む図１１（ａ）の矢印Ｗで示した領域であったものとする。このとき、図１１（ｂ）に示すように、「Ａ」の文字領域は、指定領域内にも指定領域外にも存在してそれらが連続している、すなわち前記指定領域外にはみ出している。前記判定部５３は、このような状況が発生しているか否かを判定する。
【００８６】
プレビュー画像生成部４９は、前記判定部５３により指定領域に含まれる文字領域が前記指定領域からはみ出していないと判定された場合には、前記イメージリピート処理部４７により生成された前記イメージリピート画像を前記プレビュー画像表示部Ｐ２の表示領域の大きさ（画素数）にあわせたプレビュー用全体画像を生成する。
【００８７】
また、プレビュー画像生成部４９は、前記判定部５３により指定領域に含まれる文字領域が前記指定領域からはみ出していると判定された場合には、前記イメージリピート処理部４７により生成された前記イメージリピート画像が生成されると、該イメージリピート画像の構成単位である個別画像を前記プレビュー画像表示部Ｐ２の表示領域の大きさ（画素数）にあわせたプレビュー用個別画像を生成する。
【００８８】
表示制御部５０は、前記プレビュー画像生成部４９によりプレビュー画像（プレビュー用全体画像又はプレビュー用個別画像）が生成されると、該プレビュー画像をプレビュー画像表示部Ｐ１，Ｐ２に表示させるものである。
【００８９】
図１２は、本実施形態における制御部４５によるプレビュー画像表示処理を示すフローチャートである。なお、ここでは、前記集約機能及び前記イメージリピート機能のうちイメージリピート機能が利用される場合に着目する。
【００９０】
図１２に示すように、所定の操作が行われると（ステップ♯２１でＹＥＳ）、表示制御部５０は、設定画面Ｇ３を表示部４２に表示し、表示モード設定入力要求受付部４８は、指定領域の設定入力をはじめとする各種の入力を受け付ける（ステップ♯２２）。
【００９１】
次に、表示モード設定入力要求受付部４８は、「ＯＫ」ボタンＢ１３が操作されたか否かを判断し（ステップ♯２３）、「ＯＫ」ボタンＢ１３が操作されていないと判断した場合には（ステップ♯２３でＮＯ）、ステップ♯２１の処理に戻る一方、「ＯＫ」ボタンＢ１３が操作されたと判断した場合には（ステップ♯２３でＹＥＳ）、画像読取部２に読取動作を行わせ（ステップ♯２４）、該読取動作で得られた画像データに対して各種の画像処理を行う（ステップ♯２５）。この画像処理には、前記イメージリピート処理が含まれる。また、文字領域検出処理部５２は、前記画像処理後の画像データ（イメージリピート画像の画像データ）に基づき文字領域を検出する（ステップ♯２６）。
【００９２】
判定部５３は、前記指定領域に含まれる文字領域が前記指定領域からはみ出しているか否かを判定し（ステップ♯２７）、前記指定領域に含まれる文字領域が前記指定領域からはみ出していると判定した場合には（ステップ♯２７でＹＥＳ）、前記イメージリピート画像の構成単位である個別画像（図８（ｂ）の矢印Ｙで示す画像）を前記プレビュー画像表示部Ｐ２の表示領域の大きさ（画素数）にあわせたプレビュー用個別画像を生成し（ステップ♯２８）、表示制御部５０は、このプレビュー用個別画像をプレビュー画像表示部Ｐ２に表示させる（ステップ♯２９）。
【００９３】
そして、制御部４５は、スタートボタン４４がオンされたか否かを判断し（ステップ♯３０）、スタートボタン４４がオンされず（ステップ♯３０でＮＯ）、前記指定領域や表示モードの再設定を行う旨の指示も入力されていない場合には（ステップ♯３１でＮＯ）、ステップ♯３０の処理に戻り、スタートボタン４４がオンされず（ステップ♯３０でＮＯ）、前記指定領域や表示モードの再設定を行う旨の指示が入力された場合には（ステップ♯３１でＹＥＳ）、ステップ♯２２の処理に戻る。
【００９４】
一方、ステップ♯３０において、制御部４５は、スタートボタン４４がオンされたと判断すると（ステップ♯３０でＹＥＳ）、ステップ♯２５で生成された画像データに基づいて用紙に対する画像形成動作を記録部２７に実行させる（ステップ♯３２）。
【００９５】
一方、ステップ♯２７において、前記判定部５３は、前記指定領域に含まれる文字領域が前記指定領域からはみ出していないと判定した場合には（ステップ♯２７でＮＯ）、プレビュー画像生成部４９は、前記イメージリピート画像を前記プレビュー画像表示部Ｐ２の表示領域の大きさ（画素数）にあわせたプレビュー用全体画像を生成し（ステップ♯３３）、表示制御部５０は、このプレビュー用全体画像をプレビュー画像表示部Ｐ２に表示させ（ステップ♯３４）、ステップ♯３０の処理を行う。
【００９６】
以上のように、制御部４５が、読み取った画像から文字領域を検出し、前記指定領域に含まれる文字領域が前記指定領域からはみ出しているときには、指定領域が不適切である可能性があると判断して、プレビュー画像表示部Ｐ１，Ｐ２にプレビュー用個別画像を表示するようにしたので、ユーザに前記指定領域の適否を正確に確認させることができる。
【００９７】
また、プレビュー画像表示部Ｐ１，Ｐ２に表示する対象を複合機１において決定するようにしたので、プレビュー用個別画像をプレビュー画像表示部Ｐ１，Ｐ２に表示すべきときには前記プレビュー用個別画像を前記表示部Ｐ１，Ｐ２に表示する構成を有しつつ、プレビュー画像表示部Ｐ１，Ｐ２に表示する対象を自動的に決定してユーザが設定する手間を省略することができる。
【００９８】
なお、ここでは、前記指定領域に含まれる文字領域が前記指定領域からはみ出しているときには、指定領域が不適切である可能性があると判断して、プレビュー画像表示部Ｐ１，Ｐ２にプレビュー用個別画像全体を表示するようにしたが、これに限定されず、前記指定領域からはみ出している部分を拡大して表示するようにしてもよい。
【００９９】
（２）プレビュー用全体画像及びプレビュー用個別画像のうち何れか一方を複合機１で選択する（自動的に選択する）構成として、前記変形形態（１）の他、次のような構成も想定される。
【０１００】
例えば画像読取部２の読取動作で得られた画像全体を文字領域検出処理部５２の検出対象としたときには、前記指定領域を含む一定の領域で文字領域を検出できているにも拘らず、個別画像だけを抽出して該個別画像を前記文字領域検出処理部５２の検出対象として文字領域検出処理を実施すると、文字領域の検出が不可能であるとか文字領域の検出率が低くなるという場合が生じうる。このような場合には、個別画像を抽出したときに１つの文字を構成する文字領域が部分的に欠落するような不適切な指定領域の設定がなされているものと考えられる。
【０１０１】
そこで、本実施形態では、前述のような状況が発生した場合には、ユーザに前記指定領域の設定の適否を正確に確認させるべく、前記指定領域の設定が不適切である可能性があるとみなしてプレビュー用個別画像をプレビュー画像表示部Ｐ２に表示させるようにしている。
【０１０２】
図１３は、本実施形態における制御部４５によるプレビュー画像表示処理を示すフローチャートである。なお、ここでは、前記集約機能及び前記イメージリピート機能のうちイメージリピート機能が利用される場合に着目する。
【０１０３】
図１３に示すように、所定の操作が行われると（ステップ♯４１でＹＥＳ）、表示制御部５０は、設定画面Ｇ３を表示部４２に表示し、表示モード設定入力要求受付部４８は、指定領域の設定入力をはじめとする各種の入力を受け付ける（ステップ♯４２）。
【０１０４】
次に、表示モード設定入力要求受付部４８は、「ＯＫ」ボタンＢ１３が操作されたか否かを判断し（ステップ♯４３）、「ＯＫ」ボタンＢ１３が操作されていないと判断した場合には（ステップ♯４３でＮＯ）、ステップ♯４１の処理に戻る一方、「ＯＫ」ボタンＢ１３が操作されたと判断した場合には（ステップ♯４３でＹＥＳ）、画像読取部２に読取動作を行わせ（ステップ♯４４）、該読取動作で得られた画像データに対して各種の画像処理を行う（ステップ♯４５）。この画像処理には、前記イメージリピート処理が含まれる。
【０１０５】
次に、文字領域検出処理部５２は、前記画像処理後の全体画像（イメージリピート画像）に対して文字領域の検出処理を行う（ステップ♯４６）。また、文字領域検出処理部５２は、前記全体画像から個別画像を抽出し（ステップ♯４７）、抽出した個別画像に対して文字領域の検出処理を行う（ステップ♯４８）。
【０１０６】
そして、判定部５３は、前記全体画像のうち指定領域を含む一定範囲において文字領域を検出できるが、ステップ♯４７で抽出した個別画像に対して文字領域を検出できない状態になったか否かを判定し（ステップ♯４９）、その状態になった場合には（ステップ♯４９でＹＥＳ）、プレビュー画像生成部４９は、前記イメージリピート画像の構成単位である個別画像（図８（ｂ）の矢印Ｙで示す画像）を前記プレビュー画像表示部Ｐ２の表示領域の大きさ（画素数）にあわせたプレビュー用個別画像を生成し（ステップ♯５０）、表示制御部５０は、このプレビュー用個別画像をプレビュー画像表示部Ｐ２に表示させる（ステップ♯５１）。
【０１０７】
そして、制御部４５は、スタートボタン４４がオンされたか否かを判断し（ステップ♯５２）、スタートボタン４４がオンされず（ステップ♯５２でＮＯ）、前記指定領域や表示モードの再設定を行う旨の指示も入力されていない場合には（ステップ♯５３でＮＯ）、ステップ♯５２の処理に戻り、スタートボタン４４がオンされず（ステップ♯５２でＮＯ）、前記指定領域や表示モードの再設定を行う旨の指示が入力された場合には（ステップ♯５３でＹＥＳ）、ステップ♯４２の処理に戻る。
【０１０８】
一方、ステップ♯５２において、制御部４５は、スタートボタン４４がオンされたと判断すると（ステップ♯５２でＹＥＳ）、ステップ♯４５で生成された画像データに基づいて用紙に対する画像形成動作を記録部２７に実行させる（ステップ♯５４）。
【０１０９】
一方、ステップ♯４９において、判定部５３が、前記全体画像のうち指定領域を含む一定範囲において文字領域を検出できるが、ステップ♯４７で抽出した個別画像に対して文字領域を検出できない状態になっていないと判断した場合には（ステップ♯４９でＮＯ）、プレビュー画像生成部４９は、前記イメージリピート画像を前記プレビュー画像表示部Ｐ２の表示領域の大きさ（画素数）にあわせたプレビュー用全体画像を生成し（ステップ♯５５）、表示制御部５０は、このプレビュー用全体画像をプレビュー画像表示部Ｐ２に表示させ（ステップ♯５６）、ステップ♯５２の処理を行う。
【０１１０】
この実施形態によっても、プレビュー画像表示部Ｐ１，Ｐ２に表示する対象を複合機１において決定するようにしたので、プレビュー用個別画像をプレビュー画像表示部Ｐ２に表示すべきときには前記プレビュー用個別画像を前記表示部Ｐ２に表示する構成を有しつつ、プレビュー画像表示部Ｐ２に表示する対象を自動的に決定してユーザが設定する手間を省略することができる。
【０１１１】
（３）プレビュー用全体画像及びプレビュー用個別画像のうち何れか一方を複合機１で選択する（自動的に選択する）構成として、前記第１の実施形態や変形形態（１），（２）の他、次のような構成も想定される。
【０１１２】
すなわち、指定領域に対応する個別画像を縮小してイメージリピート画像を生成するとき、その縮小の度合いが比較的大きいと、イメージリピート画像を用紙に形成したときに、一定の画質を満たさない場合がある。この場合、前記縮小率をユーザに再考させる機会を与える方が好ましい。
【０１１３】
そこで、図４に示すボタンＢ１０，Ｂ１１で個別画像の縮小率が設定された場合、イメージリピート処理部４７が、その入力された縮小率で縮小した前記個別画像を１ページ中に繰り返し並べてなるイメージリピート画像を生成し、前記文字領域検出処理部５２により前記イメージリピート画像のうち文字領域を検出し、前記判定部５３が、前記文字領域検出処理部５２により文字領域を検出できたか否か、及び、前記文字領域検出処理部５２により検出された文字領域が前記指定領域からはみ出しているか否かを判定する。
【０１１４】
そして、前記プレビュー画像生成部４９は、前記文字領域検出処理部５２により文字領域を検出でき、且つ、その文字領域が前記指定領域からはみ出していないと前記判定部５３により判定された場合には、前記縮小率をユーザに再考させる機会を与える必要性は低いと考えられることから、プレビュー用全体画像をプレビュー画像表示部Ｐ２に表示し、それ以外の場合には、前記縮小率をユーザに再考させる機会を与える必要性は高いと考えられることから、プレビュー用個別画像をプレビュー画像表示部Ｐ２に表示するようにしてもよい。
【０１１５】
（４）前記第１の実施形態では、プレビュー画像生成部４９が、前記表示モード設定入力要求受付部４８により設定指示が受け付けられた方のプレビュー画像表示モード（前記全体画像表示モード又は個別画像表示モード）に対応するプレビュー画像（前記プレビュー用全体画像又は前記プレビュー用個別画像）のみを生成し、表示制御部５０が、前記プレビュー画像生成部４９により生成されたプレビュー画像をプレビュー画像表示部Ｐ１，Ｐ２に表示させるようにしたが、これに限らず、プレビュー画像生成部４９は、前記プレビュー用全体画像又は前記プレビュー用個別画像の両方を生成し、表示制御部５０が、前記表示モード設定入力要求受付部４８により設定指示が受け付けられた方のプレビュー画像表示モード（前記全体画像表示モード又は個別画像表示モード）に対応するプレビュー画像をプレビュー画像表示部Ｐ１，Ｐ２に表示させるようにしてもよい。
【０１１６】
（５）前記第１の実施形態では、プレビュー用全体画像及びプレビュー用個別画像のうち何れか一方を前記プレビュー画像表示部Ｐ１，Ｐ２に表示するようにしたが、この形態に限定されず、図１４に示すように、プレビュー用全体画像を表示したときに、余白部分が生じているときには、その余白部分にプレビュー用個別画像を表示するようにしてもよい。
【符号の説明】
【０１１７】
１    複合機
２    画像読取部
２７  記録部
４１  操作部
４２  表示部
４３  数字キー群
４４  スタートボタン
４５  制御部
４６  集約処理部
４７  イメージリピート処理部
４８  表示モード設定入力要求受付部
４９  プレビュー画像生成部
５０  表示制御部
５１  文字領域検出処理部
５２  判定部
【図１】
2011114807.tif 000003
【図２】
2011114807.tif 000004
【図３】
2011114807.tif 000005
【図４】
2011114807.tif 000006
【図５】
2011114807.tif 000007
【図６】
2011114807.tif 000008
【図７】
2011114807.tif 000009
【図８】
2011114807.tif 000010
【図９】
2011114807.tif 000011
【図１０】
2011114807.tif 000012
【図１１】
2011114807.tif 000013
【図１２】
2011114807.tif 000014
【図１３】
2011114807.tif 000015
【図１４】
2011114807.tif 000016